【事件の表示】
　特願２０００−９８４４８号「画像表示装置の行電極駆動装置」拒絶査定不服審判事件〔平成１３年１０月１２日出願公開、特開２００１−２８２１７０号〕について、次のとおり審決する。
【結　論】
　本件審判の請求は、成り立たない。
【理　由】
第１　手続の経緯
　　　本件は、平成１２年３月３１日にされた特許出願（以下「本件出願」という。）につき、拒絶査定が平成１６年９月２日付けでされたところ、請求人が「原査定を取り消す、この出願の発明は特許をすべきものである」との審決を求めて拒絶査定不服審判を同年１０月１４日に請求するとともに同年１１月１５日に明細書について補正をする手続補正書（以下、この手続補正書による補正を「平成１６年１１月１５日付け補正」といい、また「本件補正」ともいう。）を提出したものである。
　
第２　補正の却下の決定
　１　補正の却下の決定の結論
　　　平成１６年１１月１５日付け補正を却下する。
　２　補正の却下の決定の理由
　（１）補正の内容
　　　　本件補正は、特許請求の範囲について以下のように補正をするものである。
　　　ア　本件補正後の特許請求の範囲
「【請求項１】
　行電極のそれぞれに接続されている複数の出力端子を有し、走査開始信号の入力に応答して、クロック信号周期で前記各出力端子に個別的に画像表示装置の行電極を駆動するための駆動信号を出力する行電極駆動装置において、
　上記行電極は、複数の信号ラインと、当該複数の信号ラインのうち第１番目の信号ラインよりも上位側に配置され、上記複数の出力端子のうちの最終番目から駆動信号が入力されるダミーラインとからなっており、
　上記複数の出力端子は、第１番目の信号ラインに対応した第２番目の出力端子から、前記駆動信号を出力することを特徴とする行電極駆動装置。
　【請求項２】
　行電極のそれぞれに接続されている順次配列された１，２，…，Ｎの順位を付したＮ本の出力端子を有し、走査開始信号の入力に応答して、クロック信号周期で前記Ｎ本の各出力端子に選択的に画像表示装置の行電極を駆動するための駆動信号を順次出力してゆく行電極駆動装置において、
　前記走査開始信号の入力に応答して、第１番目の信号ラインに対応した第２番目の出力端子から第Ｎ番目の出力端子へ順次前記駆動信号を出力してゆき、第１番目の出力端子へは最終番目に前記駆動信号を出力することを特徴とする行電極駆動装置。
　【請求項３】
　行電極のそれぞれに接続されている順次配列された１，２，…，Ｎの順位を付したＮ本の出力端子を有し、走査開始信号の入力に応答して、クロック信号周期で前記Ｎ本の各出力端子に選択的に画像表示装置の行電極を駆動するための駆動信号を順次出力してゆく行電極駆動装置において、
　前記走査開始信号の入力に応答して、第１番目の信号ラインに対応した第２番目の出力端子から第Ｎ−１番目の出力端子へ順次前記駆動信号を出力してゆき、第１番目および第Ｎ番目の出力端子へは最終番目に共に前記駆動信号を出力することを特徴とする行電極駆動装置。
　【請求項４】
　行電極のそれぞれに接続されている順次配列された１，２，…，Ｎの順位を付したＮ本の出力端子を有し、走査開始信号の入力に応答して、クロック信号周期で、前記Ｎ本の各出力端子に選択的に、画像表示装置の行電極を駆動するための駆動信号を、正または逆の走査方向に順次出力してゆくことができる行電極駆動装置において、
　前記走査開始信号の入力に応答して、正方向走査時には、第１番目の信号ラインに対応した第２番目の出力端子から第Ｎ−１番目の出力端子へ順次前記駆動信号を出力してゆき、第１番目の出力端子へは最終番目に前記駆動信号を出力し、逆方向走査時には、信号ラインに対応した第Ｎ−１番目の出力端子から第１番目の出力端子へ順次前記駆動信号を出力してゆき、第Ｎ番目の出力端子へは最終番目に前記駆動信号を出力することを特徴とする行電極駆動装置。
　【請求項５】
　行電極のそれぞれに接続されている順次配列された１，２，…，Ｎの順位を付したＮ本の出力端子を有し、走査開始信号の入力に応答して、クロック信号周期で、前記Ｎ本の各出力端子に選択的に、画像表示装置の行電極を駆動するための駆動信号を、正または逆の走査方向に順次出力してゆくことができる行電極駆動装置において、
　前記走査開始信号の入力に応答して、第２番目の出力端子〜第Ｎ−１番目の出力端子の間で、
指定走査方向に順次前記駆動信号を出力してゆき、第１番目および第Ｎ番目の出力端子へは最終番目に共に前記駆動信号を出力することを特徴とする行電極駆動装置。
　【請求項６】
　相互にカスケード接続され、前段側の行電極駆動装置による駆動信号の走査終了後、直ちに後段側の行電極駆動装置による駆動信号の走査を開始するように、前記前段側の行電極駆動装置から後段側の行電極駆動装置へ走査開始信号を転送してゆくようにした前記請求項１〜５の何れかに記載の行電極駆動装置であって、
　前記最終番目の出力端子への駆動信号に同期して、後段側の行電極駆動装置へ前記走査開始信号を転送することを特徴とする行電極駆動装置。
　【請求項７】
　それぞれ複数本の相互に交差するソースラインと信号ラインとが形成されて、各ソースラインと各信号ラインとによってその交差領域に形成される画素が駆動され、有効表示領域外には、該有効表示領域の周縁部における画素領域と前記信号ラインとの非対称性を補償するためのダミーラインが形成された画像表示装置において、
　走査開始信号に応答して第１番目の信号ラインから順次出力を行電極駆動回路の出力端子より導出してゆき、前記ダミーラインに対する出力を最終番目とすることを特徴とする画像表示装置。
　【請求項８】
　前記ダミーラインに対する出力端子は、前記第１番目〜最終番目の信号ラインに個別に対応して順に配列される出力端子の両外側に配置され、同時に出力を導出することを特徴とする請求項７記載の画像表示装置。
　【請求項９】
　前記ダミーラインに対する出力端子は、前記第１番目の信号ライン側と最終番目の信号ライン側とにそれぞれ複数設けられ、前記第１番目の信号ライン側の出力端子と最終番目の信号ライン側の出力端子とは同時に駆動信号を出力することを特徴とする請求項８記載の画像表示装置。
　【請求項１０】
　行電極のそれぞれに接続されている複数の出力端子を有し、走査開始信号を入力すると、クロック信号に同期して複数の信号ライン及びダミーラインの行電極駆動を行う駆動信号をそれぞれ出力する行電極駆動装置において、
　上記複数の出力端子は第１番目の信号ラインに対応した第２番目の出力端子から、前記駆動信号を順次出力し、前記ダミーラインの行電極駆動が最後に行われることを特徴とする行電極駆動装置。
　【請求項１１】
　それぞれの出力信号を前記駆動信号として出力するカスケード接続された第１番目〜第Ｎ番目までのシフトレジスタを備え、
　前記走査開始信号は前記第２番目のシフトレジスタに入力され、前記第Ｎ番目のシフトレジスタの出力信号は前記第１番目のシフトレジスタに入力され、この第１番目のシフトレジスタの出力信号が前記ダミーラインの行電極駆動を行う駆動信号として出力されることを特徴とする請求項１０記載の行電極駆動装置。
　【請求項１２】
　それぞれの出力信号を前記駆動信号として出力するカスケード接続された第１番目〜第Ｎ番目までのシフトレジスタを備え、
　前記走査開始信号は前記第２番目のシフトレジスタに入力され、前記第（Ｎ−１）番目のシフトレジスタの出力信号は前記第１番目及び第Ｎ番目の各シフトレジスタにそれぞれ入力され、第１番目のシフトレジスタの出力信号が前記ダミーラインの行電極駆動を行う駆動信号として出力されることを特徴とする請求項１０記載の行電極駆動装置。
　【請求項１３】
　走査開始信号を入力すると、クロック信号に同期して複数の信号ライン及びダミーラインの行電極駆動を行う駆動信号をそれぞれ出力し、第１番目の信号ラインの行電極駆動が最初に行われ、前記ダミーラインの行電極駆動が最後に行われる行電極駆動回路が複数個カスケードに接続され、これらの行電極駆動回路が順に行電極駆動をそれぞれ行う行電極駆動装置。
　【請求項１４】
　請求項１〜６、１０〜１３の何れかに記載の行電極駆動装置を備えた画像表示装置。」
　　　イ　本件補正前の特許請求の範囲
「【請求項１】
　行電極のそれぞれに接続されている複数の出力端子を有し、走査開始信号の入力に応答して、クロック信号周期で前記各出力端子に個別的に画像表示装置の行電極を駆動するための駆動信号を出力する行電極駆動装置において、
　上記行電極は、複数の信号ラインと、当該複数の信号ラインのうち第１番目の信号ラインよりも上位側に配置されるダミーラインとからなっており、
　上記複数の出力端子は第１番目の信号ラインに対応した第２番目の出力端子から、前記駆動信号を出力することを特徴とする行電極駆動装置。
　【請求項２】
　行電極のそれぞれに接続されている順次配列された１，２，…，Ｎの順位を付したＮ本の出力端子を有し、走査開始信号の入力に応答して、クロック信号周期で前記Ｎ本の各出力端子に選択的に画像表示装置の行電極を駆動するための駆動信号を順次出力してゆく行電極駆動装置において、
　前記走査開始信号の入力に応答して、第１番目の信号ラインに対応した第２番目の出力端子から第Ｎ番目の出力端子へ順次前記駆動信号を出力してゆき、第１番目の出力端子へは最終番目に前記駆動信号を出力することを特徴とする行電極駆動装置。
　【請求項３】
　行電極のそれぞれに接続されている順次配列された１，２，…，Ｎの順位を付したＮ本の出力端子を有し、走査開始信号の入力に応答して、クロック信号周期で前記Ｎ本の各出力端子に選択的に画像表示装置の行電極を駆動するための駆動信号を順次出力してゆく行電極駆動装置において、
　前記走査開始信号の入力に応答して、第１番目の信号ラインに対応した第２番目の出力端子から第Ｎ−１番目の出力端子へ順次前記駆動信号を出力してゆき、第１番目および第Ｎ番目の出力端子へは最終番目に共に前記駆動信号を出力することを特徴とする行電極駆動装置。
　【請求項４】
　行電極のそれぞれに接続されている順次配列された１，２，…，Ｎの順位を付したＮ本の出力端子を有し、走査開始信号の入力に応答して、クロック信号周期で、前記Ｎ本の各出力端子に選択的に、画像表示装置の行電極を駆動するための駆動信号を、正または逆の走査方向に順次出力してゆくことができる行電極駆動装置において、
　前記走査開始信号の入力に応答して、正方向走査時には、第１番目の信号ラインに対応した第２番目の出力端子から第Ｎ−１番目の出力端子へ順次前記駆動信号を出力してゆき
、第１番目の出力端子へは最終番目に前記駆動信号を出力し、逆方向走査時には、信号ラインに対応した第Ｎ−１番目の出力端子から第１番目の出力端子へ順次前記駆動信号を出力してゆき、第Ｎ番目の出力端子へは最終番目に前記駆動信号を出力することを特徴とする行電極駆動装置。
　【請求項５】
　行電極のそれぞれに接続されている順次配列された１，２，…，Ｎの順位を付したＮ本の出力端子を有し、走査開始信号の入力に応答して、クロック信号周期で、前記Ｎ本の各出力端子に選択的に、画像表示装置の行電極を駆動するための駆動信号を、正または逆の走査方向に順次出力してゆくことができる行電極駆動装置において、
　前記走査開始信号の入力に応答して、走査方向に係わりなく、第２番目の出力端子〜第Ｎ−１番目の出力端子の間で、
指定走査方向に順次前記駆動信号を出力してゆき、第１番目および第Ｎ番目の出力端子へは最終番目に共に前記駆動信号を出力することを特徴とする行電極駆動装置。
　【請求項６】
　相互にカスケード接続され、前段側の行電極駆動装置による駆動信号の走査終了後、直ちに後段側の行電極駆動装置による駆動信号の走査を開始するように、前記前段側の行電極駆動装置から後段側の行電極駆動装置へ走査開始信号を転送してゆくようにした前記請求項１〜５の何れかに記載の行電極駆動装置であって、
　前記最終番目の出力端子への駆動信号に同期して、後段側の行電極駆動装置へ前記走査開始信号を転送することを特徴とする行電極駆動装置。
　【請求項７】
　それぞれ複数本の相互に交差する信号ラインが形成されて、各信号ラインによってその交差領域に形成される画素が駆動され、有効表示領域外には、該有効表示領域の周縁部における画素領域と前記信号ラインとの非対称性を補償するためのダミーラインが形成された画像表示装置において、
　走査開始信号に応答して第１番目の信号ラインから順次出力を導出してゆき、前記ダミーラインに対する出力を最終番目とすることを特徴とする画像表示装置。
　【請求項８】
　前記ダミーラインに対する出力端子は、前記第１番目〜最終番目の信号ラインに個別に対応して順に配列される出力端子の両外側に配置され、同時に出力を導出することを特徴とする請求項７記載の画像表示装置。
　【請求項９】
　前記ダミーラインに対する出力端子は、前記第１番目の信号ライン側と最終番目の信号ライン側とにそれぞれ複数設けられ、前記第１番目の信号ライン側の出力端子と最終番目の信号ライン側の出力端子とを一対として駆動することを特徴とする請求項８記載の画像表示装置。
　【請求項１０】
　行電極のそれぞれに接続されている複数の出力端子を有し、走査開始信号を入力すると、クロック信号に同期して複数の信号ライン及びダミーラインの行電極駆動を行う駆動信号をそれぞれ出力する行電極駆動装置において、
　上記複数の出力端子は第１番目の信号ラインに対応した第２番目の出力端子から、前記駆動信号を出力し、前記ダミーラインの行電極駆動が最後に行われることを特徴とする行電極駆動装置。
　【請求項１１】
　カスケード接続され、それぞれの出力信号を前記駆動信号として出力する第１〜第Ｎシフトレジスタを備え、
　前記走査開始信号は前記第２シフトレジスタに入力され、前記第Ｎシフトレジスタの出力信号は前記第１シフトレジスタに入力され、この第１シフトレジスタの出力信号が前記ダミーラインの行電極駆動を行う駆動信号として出力されることを特徴とする請求項１０記載の行電極駆動装置。
　【請求項１２】
　カスケード接続され、それぞれの出力信号を前記駆動信号として出力する第１〜第Ｎシフトレジスタを備え、
　前記走査開始信号は前記第２シフトレジスタに入力され、前期第（Ｎ−１）シフトレジスタの出力信号は前記第１及び第Ｎシフトレジスタにそれぞれ入力され、第１シフトレジスタの出力信号が前記ダミーラインの行電極駆動を行う駆動信号として出力されることを特徴とする請求項１０記載の行電極駆動装置。
　【請求項１３】
　走査開始信号を入力すると、クロック信号に同期して複数の信号ライン及びダミーラインの行電極駆動を行う駆動信号をそれぞれ出力し、第１番目の信号ラインの行電極が最初に行われ、前記ダミーラインの行電極駆動が最後に行われる行電極駆動回路が複数個カスケードに接続され、これらの行電極駆動回路が順に行電極駆動をそれぞれ行う行電極駆動装置。
　【請求項１４】
　請求項１〜１３の何れかに記載の行電極駆動装置を備えた画像表示装置。」
　（２）本件補正の適否について
　　　　本件補正は、請求項１に係る発明を特定するために必要な事項について、その「配置されるダミーライン」を「配置され、上記複数の出力端子のうちの最終番目から駆動信号が入力されるダミーライン」と限定し、請求項７に係る発明を特定するために必要な事項について、「交差する信号ライン」を「交差するソースラインと信号ラインと」とし、「各信号ラインによって・・・駆動され」を「各ソースラインと各信号ラインとによって・・・駆動され」とし、更に「順次出力を導出」を「順次出力を行電極駆動回路の出力端子より導出」と限定することを含むものであって、平成１８年法律第５５号による改正前の特許法１７条の２第４項２号の特許請求の範囲の限定的減縮及び同項４号の明りょうでない記載の釈明を目的とするものである。
　そこで、本件補正後の請求項１及び７に係る発明（以下、それぞれ「本件補正発明１」及び「本件補正発明７」という。）が特許出願の際独立して特許を受けることができるものであるか検討する。
　　　ア　刊行物に記載された発明
　　　　　原査定の拒絶の理由に引用された刊行物の一部である特開平９−２８８２６０号公報（以下「刊行物１」という。）には、図面とともに、以下のような記載がされている。
　　　（ア）「【０００１】【発明の属する技術分野】本発明は、薄膜トランジスタなどのスイッチング素子をマトリックス状に配置してなるアクティブマトリックス型の液晶表示装置に関する。」
　　　（イ）「【００１９】本発明は、・・・、アクティブマトリックス型の液晶表示装置において、各画素について生じる寄生容量がいずれの位置でも均等に確保されるようにして、特定部分の画素が輝線化等するなどして表示品位を損なうといった不都合が生じないようにすることを課題とする。」
　　　（ウ）「【００２０】【課題を解決するための手段】本発明は、上記の課題を解決するため、基板上に走査信号が順次印加される走査配線とデータ信号が順次印加される信号配線とが直交配置して形成され、前記走査配線と信号配線との各々の交差部近傍にはスイッチング素子が設けられ、各スイッチング素子には画素電極が接続され、この画素電極に液晶を介して共通電極が対向配置された液晶表示装置において、次の構成を採用している。【００２１】すなわち、請求項１記載に係る発明では、走査配線の外側には、ダミー走査配線が配置されている。・・・【００２４】請求項４記載に係る発明では、請求項１ないし請求項３記載のいずれかの構成の液晶表示装置のダミー走査配線に対して所定の電圧レベルと極性とを有する信号を入力することを特徴としている。・・・【００２６】請求項６記載に係る発明では、請求項４記載の構成において、ダミー走査配線に入力される信号は、最終段の走査配線に入力される走査信号であることを特徴としている。」
　　　（エ）「【００３３】【発明の実施の形態】実施形態１　図１は、この実施形態１に係るアクティブマトリックス型の液晶表示装置の構成を示す回路図であり、図９に示した従来例に対応する部分には、同一の符号を付す。【００３４】この実施形態１の特徴は、走査信号の走査開始側に位置する最端部の走査配線（本例では最上段の走査配線）３１の外側には、この走査配線３１に対して、これに平行で、かつ、この走査配線３１に接続されたＴＦＴ５に連なる画素電極６を挟んで対向配置された状態で容量形成用のダミー走査配線３０が形成されていることである。【００３５】この構成により、最上段の走査配線３１に接続されたＴＦＴ５に連なる画素電極６は、この走査配線３１とダミー走査配線３０とによって上下に挟まれた状態となる。その結果、全ての画素は幾何学的に上下の対称性が保たれるようになるので、全ての画素に関する寄生容量比は、前記・・・式で与えられる値αとなり、従来のような寄生容量比の差がなくなる。【００３６】さらに、この実施形態１では、図２に示すように、走査駆動回路Ｋによって、走査配線３１，３２，…に入力される通常の走査信号Ｇ１，Ｇ２，Ｇ３，…と同じ波形で、かつ各走査信号Ｇ１，Ｇ２，Ｇ３，…と同じ時間差ΔＴをもつ走査信号Ｇ０を新たに作成し、この走査信号Ｇ０を最上段の走査配線３１に加わる走査信号Ｇ１の出力タイミングの前にダミー走査配線３０に入力するようにする。【００３７】このようにすれば、寄生容量比αに合わせて事前に最適化が図られておれば、最上段の走査配線３１で駆動される画素は、他の走査配線３２，３３，…で駆動される画素と全く同じ条件になるため、従来のように、たとえばノーマリホワイト形の場合に最上段の１ライン分の画素が輝線化等するといった現象を全くなくすことができる。【００３８】なお、この実施形態１では、最上段の走査配線３１から走査信号の走査が開始されるようになっているが、最下段の走査配線３ｉから走査が開始される構成の装置では、最上の走査配線３１は走査信号の走査終了側に位置する最端部の走査配線となる。【００３９】図８は、温度６０℃の下で連続通電を行って、最上段の走査配線３１に対応する１ライン分の画素について、６時間後（図中、黒の棒グラフで示す）、および２４０時間後（図中、白の棒グラフで示す）の中間調における輝線化発生率（相対値）を調べた結果である。【００４０】ここでは、ダミー走査配線３０を設けた状態で、このダミー走査配線３０には何ら信号を入力せずに他の走査配線３１，３２，…に走査信号Ｇ１，Ｇ２，…を連続的に入力して６時間を経過した後の輝線化発生率を基準値＝１００とし、また、６時間後の結果を黒の棒グラフで、２４０時間後の結果を白の棒グラフでそれぞれ示している。【００４１】図中、符号（Ａ）は、この実施形態１のように、ダミー走査配線３０に固有の走査信号Ｇ０を入力した場合の結果を、符号（Ｄ）は、ダミー走査配線３０を設けた状態で、このダミー走査配線３０には何ら信号を入力しない場合の結果をそれぞれ示している。ダミー走査配線３０に固有の走査信号Ｇ０（図２参照）を入力した場合には、ダミー走査配線３０には何ら信号を入力しない場合に比べて最上段のラインのみが輝線化する現象が全くなくなることが理解される。【００４２】なお、図８には記載していないが、ダミー走査配線３０を何ら設けない場合には、寄生容量比に差が生じるので、当然のことながら、輝線化発生率は、（Ｄ）の場合に比べてはるかに大きくなる。したがって、ダミー走査配線３０に信号を入力しなくても、単にダミー走査配線３０を設けただけでも、輝線化発生率をある程度低減する効果は得られる。」
　　　（オ）「【００４３】実施形態２　図３は、この実施形態２に係るアクティブマトリックス型の液晶表示装置の構成を示す回路図である。【００４４】この実施形態２では、実施形態１と同様に、走査信号の走査開始側に位置する最上段の走査配線３１の外側には、この走査配線３１に接続されたＴＦＴ５に連なる画素電極６を挟む状態で容量形成用のダミー走査配線３０が形成されており、しかも、実施形態１と異なるのは、このダミー走査配線３０が最下段の走査配線３ｉに結合配線１４を介して接続されていることである。【００４５】したがって、この構成においては、図４に示すように、最下段の走査配線３ｉに入力される走査信号Ｇｉが結合配線１４を介してダミー走査配線３０にそのまま入力される。【００４６】この構成にすれば、実施形態１のように、走査駆動回路Ｋを一部変更してダミー走査配線３０に固有の走査信号Ｇ０を新たに生成するようにしなくても、既存の走査信号Ｇｉを利用でき、しかも、この走査信号Ｇｉは、最上段の走査配線３１に加わる走査信号Ｇ１の出力タイミングとのずれが最も小さくなるので、最上段の走査配線３１で駆動される画素は、他の走査配線３２，３３，…で駆動される画素と略同じ条件になり、この１ライン分の画素の輝線化等の現象を十分に抑えることができる。【００４７】この実施形態２のように、最下段の走査配線３ｉに加わる走査信号Ｇｉをダミー走査配線３０に入力した場合は、図８（Ａ）に示すように、最上段のラインのみが輝線化する現象が全くなくなることが理解される。」
　　　（カ）「【００５８】なお、ダミー走査配線３０を設ける代わりに、最上段の走査配線３１に対応する１ラインの画素を遮光パターンによって隠して表示には寄与しない構成とすることも考えられるが、そのまま通電動作を長期間継続していると、１ライン目の輝線化が２ライン目へと次第に広がることがあるので、適切な対応策とは言えない。本発明のように、ダミー走査配線３０を設けておけば、最上段のラインが輝線化等する現象をなくすことができるので、１ライン目を遮光した構成とする場合でも効果がある。」
　　　（キ）「【００６０】【発明の効果】本発明の液晶表示装置は、次の効果を奏する。【００６１】（１）請求項１記載および請求項２記載の構成よれば、ダミー走査配線を設けることで各画素について生じる寄生容量がいずれの位置でも均等に生じるようになるので、従来のように、特定部分の画素が輝線化等するなどして表示品位を損なう等の不都合を低減することができる。・・・【００６３】（３）請求項４ないし請求項８記載の構成によれば、ダミー走査配線を単に設けるだけでなく、このダミー走査配線に信号を入力するので、走査信号の走査開始側に位置する最端部の走査配線と、他の走査配線との上下の対称性がより均等化されることになり、請求項１の場合よりも一層、高い表示品位を確保することができる。」
　　　イ　本件補正についての当審の判断
　　　（ア）本件補正発明１について
　　　　　　本件補正発明１と刊行物１に記載された発明、特に実施形態２、とを対比する。刊行物１に記載された走査配線３１等及びダミー走査配線３０は、本件補正発明１の「行電極」に相当する。刊行物１には「出力端子」との記載はないが、その図３には走査駆動回路Ｋの出力が示されており、端子を設けることは通常行われることであるから、この走査駆動回路Ｋには「出力端子」が存在するということができる。刊行物１に記載された液晶表示装置は、本件補正発明１の「画像表示装置」に相当する。刊行物１に記載された走査駆動回路Ｋは、走査のための駆動を行う点で、本件補正発明１の「行電極駆動装置」に相当する。刊行物１に記載された走査配線３１等は、本件補正発明１の「信号ライン」に相当し、刊行物１に記載されたダミー走査配線３０は、本件補正発明１の「ダミーライン」に相当する。また、刊行物１の走査駆動回路Ｋの複数の出力で第１番目の走査配線３１に対応した出力から信号を出力していることは、本件補正発明１の「上記複数の出力端子は、第１番目の信号ラインに対応した」「出力端子から、前記駆動信号を出力する」ことに相当する。
　そうすると、本件補正発明１と刊行物１に記載された発明とは、以下の一致点１で一致し、以下の相違点１及び２で相違する。
　一致点１　「行電極のそれぞれに接続されている複数の出力端子を有し」、「前記各出力端子に個別的に画像表示装置の行電極を駆動するための駆動信号を出力する行電極駆動装置において、上記行電極は、複数の信号ラインと、当該複数の信号ラインのうち第１番目の信号ラインよりも上位側に配置され、上記複数の出力端子のうちの最終番目から駆動信号が入力されるダミーラインとからなっており、上記複数の出力端子は、第１番目の信号ラインに対応した」「出力端子から、前記駆動信号を出力する」「行電極駆動装置」である点。
　相違点１　本件補正発明１では「走査開始信号の入力に応答して、クロック信号周期で」行電極を駆動するのに対し、刊行物１にはこのような記載がされていない点。
　相違点２　本件補正発明１では第１番目の信号ラインに対応した出力端子が「第２番目の」出力端子であるのに対し、刊行物１にはこのような記載がされていない点。
　相違点１について検討すると、走査を行う場合に走査の開始信号の入力に応答してクロック信号の周期で駆動をすることは慣用手段であり、刊行物１に記載された発明において相違点１のようにすることは、当業者が適宜に行い得ることである。
　相違点２について検討すると、出力端子にどのように番号を付与するかは任意に行い得ることであり、刊行物１に記載された発明において単に第１の走査配線に対応する出力を第２番目とし、相違点２のようにすることは当業者が適宜に行い得ることである。
　本件補正発明１の効果についてみても、刊行物１に記載された発明及び周知慣用の技術手段から予測し得る範囲内のものであって格別のものではない。
　したがって、本件補正発明１は、当業者が刊行物１に記載された発明及び周知慣用の技術手段に基いて容易に発明をすることができたものであり、特許法２９条２項の規定により特許出願の際独立して特許を受けることができない。
　なお、請求人は本件補正後の請求項１から１４までに係る発明はいずれも「行電極駆動装置が、複数ある出力端子のうちの第２番目の出力端子から順に駆動信号を出力していき、第１番目の出力端子は最終番目に駆動信号を出力する」という構成を具備していると主張するが、本件補正後の請求項１の記載は上記のとおりであり、「第２番目の出力端子から順に」という記載はなく、「第１番目の出力端子は最終番目に駆動信号を出力する」という記載もなく、請求人の主張は、請求項１の記載に正確に基づくものではなく、根拠がない。
（イ）本件補正発明７について
　　　本件補正発明７と刊行物１に記載された発明、特に実施形態２、とを対比する。刊行物１に記載された信号配線４１等及び走査配線３１等は、それぞれ本件補正発明７の「ソースライン」及び「信号ライン」に相当する。刊行物１に記載された画素電極６の存在する領域は、本件補正発明７の「有効表示領域」に相当する。刊行物１に記載されたダミー走査配線３０は、本件補正発明７の「ダミーライン」に相当する。刊行物１に記載された液晶表示装置は、画像を表示する装置という点で、本件補正発明１の「画像表示装置」に相当する。刊行物１に記載された走査駆動回路Ｋは、本件補正発明７の「行電極駆動装置」に相当する。また、刊行物１の走査駆動回路Ｋには「出力端子」が存在するということができる。
　そうすると、本件補正発明７と刊行物１に記載された発明とは、以下の一致点２で一致し、以下の相違点３で相違する。
　一致点２　「それぞれ複数本の相互に交差するソースラインと信号ラインとが形成されて、各ソースラインと各信号ラインとによってその交差領域に形成される画素が駆動され、有効表示領域外には、該有効表示領域の周縁部における画素領域と前記信号ラインとの非対称性を補償するためのダミーラインが形成された画像表示装置において」、「第１番目の信号ラインから順次出力を行電極駆動回路の出力端子より導出してゆき、前記ダミーラインに対する出力を最終番目とする」「画像表示装置」である点。
　相違点３　本件補正発明７では「走査開始信号に応答して」出力を導出するのに対して、刊行物１にはこのような記載がされていない点。
　相違点３について検討すると、走査を行う場合に走査の開始信号に応答して走査用の出力を導出することは慣用手段であり、刊行物１に記載された発明において相違点３のようにすることは、当業者が適宜に行い得ることである。
　本件補正発明７の効果についてみても、刊行物１に記載された発明及び周知慣用の技術手段から予測し得る範囲内のものであって格別のものではない。
　したがって、本件補正発明７は、当業者が刊行物１に記載された発明及び周知慣用の技術手段に基いて容易に発明をすることができたものであり、特許法２９条２項の規定により特許出願の際独立して特許を受けることができない。
　なお、上記のように、請求人は本件補正後の請求項１から１４までに係る発明はいずれも「行電極駆動装置が、複数ある出力端子のうちの第２番目の出力端子から順に駆動信号を出力していき、第１番目の出力端子は最終番目に駆動信号を出力する」という構成を具備していると主張するが、本件補正後の請求項７の記載は上記のとおりであり、「第２番目の出力端子から順に」という記載はなく、「第１番目の出力端子は最終番目に駆動信号を出力する」という記載もなく、請求人の主張は、請求項７の記載に正確に基づくものではなく、根拠がない。
　　　ウ　本件補正についてのまとめ
　　　　　以上のとおりであるから、本件補正は、平成１８年法律第５５号による改正前の特許法１７条の２第５項において準用する同法１２６条５項の規定に違反するものであり、同法１５９条１項において準用する同法５３条の規定により却下しなければならないものである。
　
第３　本件出願に係る発明
　　　本件補正は上記のとおり却下したので、本件出願の請求項１及び７に係る発明（以下、それぞれ「本願発明１」及び「本願発明７」という。）は、平成１４年１１月８日付け手続補正書及び平成１６年５月１９日付け手続補正書により補正された明細書及び図面の記載からみて、上記の本件補正前の請求項１及び７に記載されたとおりのものである。
　
第４　引用刊行物に記載された発明
　　　原査定の拒絶の理由に引用された刊行物の一部及びその記載事項は、上記のとおりである。
　
第５　本願発明についての当審の判断
　　　本願発明１及び７をそれぞれ限定したものである本件補正発明１及び７が、前示のとおり、当業者が刊行物１に記載された発明及び周知慣用の技術手段に基いて容易に発明をすることができたものであるから、本願発明１及び７も、同様に、当業者が刊行物１に記載された発明及び周知慣用の技術手段に基いて容易に発明をすることができたものである。
　
第６　まとめ
　　　以上のとおりであるから、本件出願の請求項１及び７に係る発明である本願発明１及び７は特許法２９条２項の規定により特許をすることができないものであり、その余の請求項に係る発明についての判断を示すまでもなく、本件出願は、拒絶をすべきものである。
　よって、結論のとおり審決する。